(57)【特許請求の範囲】
【請求項１】
セルラ通信ネットワーク内の基地局のためのハイブリッドユニットであって、
前記ハイブリッドユニットの外部の別個の少なくとも１つの無線ユニットであって複数個までの無線ユニットへ接続するように動作可能な複数のフィーダポートと、
前記基地局の複数のアンテナへ接続するように動作可能な複数のアンテナポートと、
を含むアナログハイブリッドマトリクス、
を含み、
前記複数のフィーダポートのうちの１つ以上は、１つ以上のそれぞれのフィーダケーブルを介して、１つ以上の無線ユニットへそれぞれ接続され、
前記アナログハイブリッドマトリクスは、１つ以上の変換済み無線周波数送信信号を、前記１つ以上の無線ユニットの送受信機回路から前記複数のフィーダポートのうちの１つ以上においてそれぞれ受信する、ように動作可能であり、
前記１つ以上の変換済み無線周波数送信信号のうちの各変換済み無線周波数送信信号は、前記複数のアンテナを介して送信されるべき複数の無線周波数送信信号の各々についての成分を含み、
前記アナログハイブリッドマトリクスは、前記１つ以上の変換済み無線周波数送信信号を分割及び合成して、前記複数のアンテナポートにおいて前記複数の無線周波数送信信号を生成する、ように動作可能である、
ハイブリッドユニット。
【請求項２】
前記アナログハイブリッドマトリクスの前記複数のフィーダポートへ接続される無線ユニットの数は、再構成可能である、請求項１のハイブリッドユニット。
【請求項３】
前記アナログハイブリッドマトリクスの前記複数のフィーダポートへ接続される無線ユニットの前記数を再構成することに応答して、前記ハイブリッドユニットのアクティブな再構成は行われない、請求項２のハイブリッドユニット。
【請求項４】
前記複数のフィーダポートのうちの１つのみが、対応するフィーダケーブルを介して無線ユニットへ接続される、請求項１のハイブリッドユニット。
【請求項５】
前記アナログハイブリッドマトリクスは、
前記無線ユニットから、前記複数のフィーダポートのうちの前記１つにおいて、前記フィーダケーブルを介して増幅済み無線周波数送信信号を受信し、
前記増幅済み無線周波数送信信号を分割して、それにより、前記複数のアンテナポートにおいて複数の増幅済み無線周波数送信信号を生成する、
ように動作可能である、請求項４のハイブリッドユニット。
【請求項６】
前記複数のアンテナポートは、対応する複数のタワーマウント型増幅器ユニットを介して前記複数のアンテナへ接続され、
前記アナログハイブリッドマトリクスはさらに、
その各々が前記複数のタワーマウント型増幅器ユニットにより適用される異なる周波数シフトに起因して異なる搬送周波数において存在する複数の無線周波数受信信号を、前記複数のタワーマウント型増幅器ユニットから前記複数のアンテナポートにおいて受信し、
その各々が前記複数の無線周波数受信信号の各々についての成分を含む、前記複数のフィーダポートでの複数の変換済み無線周波数受信信号の生成を、前記複数の変換済み無線周波数受信信号のうちの１つが前記複数のフィーダポートのうちの前記１つを介して前記無線ユニットへ出力されるように、行う、
ように動作可能である、請求項５のハイブリッドユニット。
【請求項７】
前記複数のアンテナポートは、対応する複数のタワーマウント型増幅器ユニットを介して前記複数のアンテナへ接続され、
前記アナログハイブリッドマトリクスはさらに、
その各々が前記複数のタワーマウント型増幅器ユニットにより適用される異なる周波数シフトに起因して異なる搬送周波数において存在する複数の無線周波数受信信号を、前記複数のタワーマウント型増幅器ユニットから前記複数のアンテナポートにおいて受信し、
その各々が前記複数の無線周波数受信信号の各々についての成分を含む、前記複数のアンテナポートでの複数の変換済み無線周波数受信信号の生成を、前記複数の変換済み無線周波数受信信号のうちの１つが前記複数のフィーダポートのうちの前記１つを介して前記無線ユニットへ出力されるように、行う、
ように動作可能である、請求項４のハイブリッドユニット。
【請求項８】
前記複数のフィーダポートは、前記複数のフィーダポートの各々が、対応するフィーダケーブルを介して前記複数の無線ユニットの異なる送受信機回路へ接続されるように、前記複数の無線ユニットへ接続される、請求項１のハイブリッドユニット。
【請求項９】
前記複数のアンテナポートは、対応する複数のタワーマウント型増幅器ユニットを介して前記複数のアンテナへ接続され、
前記アナログハイブリッドマトリクスはさらに、
その各々が前記複数のタワーマウント型増幅器ユニットにより適用される異なる周波数シフトに起因して異なる搬送周波数において存在する複数の無線周波数受信信号を、前記複数のタワーマウント型増幅器ユニットから前記複数のアンテナポートにおいて受信し、
その各々が前記複数の無線周波数受信信号の各々についての成分を含む、前記複数のフィーダポートでの複数の変換済み無線周波数受信信号の生成を、前記複数の変換済み無線周波数受信信号のうちの異なる信号が前記複数のフィーダポートのうちの対応するフィーダポートを介して前記複数の無線ユニットの前記送受信機回路の各々へ出力されるように、行う、
ように動作可能である、請求項１のハイブリッドユニット。
【請求項１０】
前記複数のアンテナポートは、対応する複数のタワーマウント型増幅器ユニットを介して前記複数のアンテナへ接続され、
前記アナログハイブリッドマトリクスはさらに、
その各々が前記複数のタワーマウント型増幅器ユニットにより適用される異なる周波数シフトに起因して異なる搬送周波数において存在する複数の無線周波数受信信号を、前記複数のタワーマウント型増幅器ユニットから前記複数のアンテナポートにおいて受信し、
その各々が前記複数の無線周波数受信信号の各々についての成分を含む、前記複数のフィーダポートでの複数の変換済み無線周波数受信信号の生成を、前記複数の変換済み無線周波数受信信号のうちの異なる信号が前記複数のフィーダポートのうちの対応するフィーダポートを介して前記複数の無線ユニットの前記送受信機回路の各々へ出力されるように、行う、
ように動作可能である、請求項８のハイブリッドユニット。
【請求項１１】
前記複数のフィーダポートは、個数Ｎ（Ｎは１よりも大きい整数）のフィーダポートであり、前記複数のアンテナポートは、個数Ｎの無線ポートであり、前記複数の無線ユニットの各々は、前記複数の無線ユニットにおける送受信機の総数がＮに等しくなるように、１つ以上の送受信機を含む、請求項１のハイブリッドユニット。
【発明の詳細な説明】
【技術分野】
【０００１】
［関連出願］
本出願は、２０１２年１２月５日に提出された米国特許出願第１３／７０５，７０４号の利益を主張し、その開示はここで全体として参照によりここに取り入れられる。
【０００２】
［開示の分野］
本開示は、セルラ通信ネットワーク内の基地局に関する。
【背景技術】
【０００３】
セルラ通信ネットワーク内においては、セルのうちのいくつか又は全ての各々が、２つ以上のセクタに区分され得る。例えば、図１は、ここでは総じてセクタ１２と称される３つのセクタ１２−１、１２−２、及び１２−３に区分される、セルラ通信ネットワークのセル１０を例示している。従来より、基地局又は基地局送受信機セット（ＢＴＳ）は、セル１０の中心に位置付けられ、セクタ１２の各々について別個の増幅器及びアンテナを含む。アンテナは、隣接するセクタ１２に部分的に重複することなく、対応するセクタ１２を満たす、対応するビーム１４−１〜１４−３を放射する、いわゆるセクタアンテナである。従来の基地局については、セクタ１２についての電力増幅器間における電力共用が存在せず、そのため、セクタ１２の各々についての増幅器は、当該セクタ１２についての最大電力レベル需要を充足するように設計されなければならない。加えて、電力増幅器のうちの１つ、又は対応する送信機が故障した場合、対応するセクタ１２内のダウンリンクは完全に失われる。
【０００４】
DIGITALLY  CONVERTIBLE  RADIOと題された米国特許第７，２０６，３５５号及びDIGITAL  CONVERTIBLE  RADIO  SNR  OPTIMIZATIONと題された米国特許第７，２４８，６５６号の各々は、デジタル変換可能無線機（ＤＣＲ）の実施形態を開示している。１つの実施形態において、ＤＣＲは、複数個の並列的な電力増幅器を含み、当該電力増幅器のうちのどの１つも、最大セクタ電力レベル需要を充足するように設計されることを要しないように、電力増幅器間の電力共用を可能にする。より具体的には、図２は、米国特許第７，２０６，３５５号及び米国特許第７，２４８，６５６号の教示によるＤＣＲ１６の１つの実施形態を例示している。例示されるように、ＤＣＲ１６は、示されるように接続される、デジタルハイブリッドマトリクス（ＤＨＭ）１８と、アップコンバージョンモジュール２０と、電力増幅器２４−１〜２４−３を含む電力増幅器モジュール２２と、アナログハイブリッドマトリクス（ＡＨＭ）２６と、アンテナ２８−１〜２８−３とを含む。ＤＨＭ１８は、各々が１つのセルの異なるセクタのためのものである、複数個のデジタル送信信号（Ｓ１〜Ｓ３）を受信する。ＤＨＭ１８は、デジタル送信信号（Ｓ１〜Ｓ３）を分割及び合成して、変換済み送信信号（Ｔ１〜Ｔ３）を生成する。変換済み送信信号（Ｔ１〜Ｔ３）の各々は、デジタル送信信号（Ｓ１〜Ｓ３）の各々の成分を含む。より具体的には、米国特許第７，２４８，６５６号に開示されるように、デジタル送信信号（Ｓ１〜Ｓ３）に第１のセットの複素重みが適用され、結果的に生じる複素重み付けされたデジタル送信信号は、合成又は合計されて、第１の変換済み送信信号（Ｔ１）を提供する。同様に、デジタル送信信号（Ｓ１〜Ｓ３）に第２のセットの複素重みが適用され、結果的に生じる複素重み付けされたデジタル送信信号は、合成又は合計されて、第２の変換済み送信信号（Ｔ２）を提供し、デジタル送信信号（Ｓ１〜Ｓ３）に第３のセットの複素重みが適用され、結果的に生じる複素重み付けされたデジタル送信信号は、合成又は合計されて、第３の変換済み送信信号（Ｔ３）を提供する。
【０００５】
変換済み送信信号（Ｔ１〜Ｔ３）は、アップコンバージョンモジュール２０により所望の無線周波数へアップコンバートされ、それにより、アップコンバートされた変換済み送信信号（Ｔ１，ＵＰ〜Ｔ３，ＵＰ）を提供する。電力増幅器モジュール２２内の電力増幅器２４−１〜２４−３は次いで、アップコンバートされた変換済み送信信号（Ｔ１，ＵＰ〜Ｔ３，ＵＰ）を増幅して、無線周波数変換済み送信信号（Ｔ１，ＲＦ〜Ｔ３，ＲＦ）を提供する。ＡＨＭ２６は次いで、無線周波数変換済み送信信号（Ｔ１，ＲＦ〜Ｔ３，ＲＦ）を分割及び合成し、それにより、無線周波数送信信号（Ａ１〜Ａ３）を生成する。注記すべきは、ＤＨＭ１８内の重みセットが、ＡＨＭ２６により出力される第１の無線周波数送信信号（Ａ１）が第１のデジタル送信信号（Ｓ１）を表し、且つ、第１の無線周波数送信信号（Ａ１）内の第２及び第３のデジタル送信信号（Ｓ２及びＳ３）を表す成分が最小化され、好ましくは除去されるように、構成されるという点である。加えて、ＤＨＭ１８内の重みセットは、ＡＨＭ２６により出力される第２の無線周波数送信信号（Ａ２）が第２のデジタル送信信号（Ｓ２）を表し、且つ、第２の無線周波数送信信号（Ａ２）内の第１及び第３のデジタル送信信号（Ｓ１及びＳ３）を表す成分が最小化され、好ましくは除去されるように、並びに、ＡＨＭ２６により出力される第３の無線周波数送信信号（Ａ３）が第３のデジタル送信信号（Ｓ３）を表し、且つ、第３の無線周波数送信信号（Ａ３）内の第１及び第２のデジタル送信信号（Ｓ１及びＳ２）を表す成分が最小化され、好ましくは除去されるように、構成される。
【０００６】
ＤＨＭ１８の複素重みを構成するために、ＤＣＲ１６は、ダウンコンバージョンモジュール３０と、相関モジュール３２と、アダプタ３４とを含むフィードバック経路を含む。ダウンコンバージョンモジュール３０、相関モジュール３２、及びアダプタ３４の動作と、ＤＨＭ１８についての複素重みを計算するためのアルゴリズムとについては、米国特許第７，２４８，６５６号に記載されている。一般に、上で論じたように、複素重みは、無線周波数送信信号（Ａ１〜Ａ３）がＡＨＭ２６により出力されるように構成される。
【０００７】
ＤＣＲ１６の重要な利点は、ＤＨＭ１８及びＡＨＭ２６を使用することにより、電力増幅器２４−１〜２４−３間において、コヒーレントな電力共用が提供されることである。その結果、電力増幅器２４−１〜２４−３のうちのどの１つも、最大セクタ電力レベル需要を充足するように設計されることを要しない。加えて、電力増幅器２４−１〜２４−３のうちのいずれか１つが故障した場合、ＤＣＲ１６は、幾分か低下した動作モードではあるものの、全ての３つのセクタにおいて動作を提供することが可能とされる。
【発明の概要】
【発明が解決しようとする課題】
【０００８】
米国特許第７，２０６，３５５号及び米国特許第７，２４８，６５６号において開示されているＤＣＲに伴う１つの課題は、ＤＣＲが、セルについての将来の最大キャパシティ要件を充足するために必要とされる全てのリソースを含まなければならないことである。よって、事業者は、初期のキャパシティ要件が低いかもしれない場合であっても、初期配備時に著しい費用を負担することを要する。そのため、この課題を解決する改善されたＤＣＲについてのニーズが存在する。
【課題を解決するための手段】
【０００９】
セルラ通信ネットワーク内の基地局のための、構成可能な数の無線ユニットをサポートするハイブリッドユニットの実施形態が開示される。１つの実施形態において、セルラ通信ネットワーク内の基地局のためのハイブリッドユニットが提供される。ハイブリッドユニットは、アナログハイブリッドマトリクスを含む。アナログハイブリッドマトリクスは、ハイブリッドユニットの外部の別個の少なくとも１つの無線ユニットであって最大数までの無線ユニットへ接続するように動作可能な複数個のフィーダポートを含む。１つの好適な実施形態において、無線ユニットは、分散型デジタル変換可能無線ユニット（ＤＤＣＲＵ）である。１つの特定の実施形態において、複数個の無線ユニット内の送信機の総数は、アナログハイブリッドマトリクスのフィーダポートの数に等しい。アナログハイブリッドマトリクスは、基地局の少なくとも１つのアンテナであって対応する数までのアンテナへ接続するように動作可能な複数個のアンテナポートも含む。アナログハイブリッドマトリクスのフィーダポートへ接続される無線ユニットの数は、再構成可能である。さらに、１つの好適な実施形態において、アナログハイブリッドマトリクスのフィーダポートへ接続される無線ユニットの数を再構成することに応答して、ハイブリッドユニットのアクティブな再構成を要しない。
【００１０】
１つの実施形態において、アナログハイブリッドマトリクスのフィーダポートのうちの１つのみが、対応するフィーダケーブルを介して無線ユニットへ接続される。１つの実施形態において、アナログハイブリッドマトリクスは、無線ユニットからフィーダポートにおいて増幅済み無線周波数送信信号を受信し、当該増幅済み無線周波数送信信号を分割し、それにより、アンテナポートの各々において増幅済み無線周波数送信信号を生成する、ように動作可能である。１つの実施形態において、アナログハイブリッドマトリクスは、付加的に又は代替的に、対応するタワーマウント型増幅器からアンテナポートにおいて無線周波数受信信号を受信するように動作可能であり、ここで、無線周波数受信信号の各々は、タワーマウント型増幅器により適用される異なる周波数シフトに起因して異なる搬送周波数において存在する。アナログハイブリッドマトリクスは次いで、フィーダポートにおける変換済み無線周波数受信信号の生成を、当該変換済み無線周波数受信信号のうちの１つが１つのフィーダポートを介して無線ユニットへ出力されるように、行う。変換済み無線周波数受信信号の各々は、無線周波数受信信号の各々についての成分を含む。
【００１１】
他の実施形態において、アナログハイブリッドマトリクスのフィーダポートは、当該フィーダポートの各々が複数個の無線ユニットの異なる送受信機へ接続されるように、複数個の無線ユニットへ接続される。１つの実施形態において、アナログハイブリッドマトリクスは、複数個の無線周波数変換済み送信信号を、無線ユニットの送受信機から対応するフィーダポートにおいて受信するように動作可能である。無線周波数変換済み送信信号の各々は、アナログハイブリッドマトリクスのアンテナポートへ接続されるアンテナを介して送信されるべき複数個の無線周波数送信信号の各々の成分を含む。アナログハイブリッドマトリクスは、無線周波数変換済み送信信号を分割及び合成し、それにより、アンテナポートにおいて無線周波数送信信号を生成する。１つの実施形態において、ハイブリッドユニットは、付加的に又は代替的に、アンテナポートにおいて複数個の無線周波数受信信号を受信するように動作可能である。アナログハイブリッドマトリクスは、フィーダポートにおける変換済み無線周波数受信信号の生成を、当該変換済み無線周波数受信信号のうちの異なる信号がフィーダポートのうちの対応するフィーダポートを介して無線ユニットの送受信機の各々へ出力されるように、行う。変換済み無線周波数受信信号の各々は、無線周波数受信信号のうちの各々についての成分を含む。
【００１２】
ＤＤＣＲＵの実施形態も開示される。１つの実施形態において、基地局のためのＤＤＣＲＵは、フィーダポートと、分散型デジタルハイブリッドマトリクス（ＤＤＨＭ）コンポーネントと、送信機とを含む。フィーダポートは、ＤＤＣＲＵを、当該ＤＤＣＲＵの外部の別個のハイブリッドユニットにフィーダケーブルを介して結合するように動作可能である。ＤＤＨＭコンポーネントは、複数個のデジタル送信信号を、当該デジタル送信信号の各々についての成分を含む変換済み送信信号に変換するように動作可能である。送信機は、変換済み送信信号をアップコンバートして増幅し、フィーダポートを介してハイブリッドユニットへ出力されるべき無線周波数変換済み送信信号を提供する。１つの実施形態において、ＤＤＣＲＵのＤＤＨＭコンポーネントと、ハイブリッドユニットへ接続される、基地局のための１つ以上の付加的なＤＤＣＲＵの１つ以上の付加的なＤＤＨＭコンポーネントとは、複数個のデジタル送信信号を、当該デジタル送信信号の各々についての成分を各々が含む複数個の変換済み送信信号に変換するＤＤＨＭを形成する。１つの実施形態において、ＤＤＣＲＵ及び１つ以上の付加的なＤＤＣＲＵは、位相ロックされている。１つの実施形態において、ＤＤＣＲＵは、当該ＤＤＣＲＵと、１つ以上の付加的なＤＤＣＲＵとのＤＤＨＭコンポーネントを適応的に構成する。
【００１３】
当業者は、添付の図面に関連して好適な実施形態の以下の詳細な説明を読み終えると、本開示の範囲を認識し、その付加的な実施態様を認めるであろう。
【図面の簡単な説明】
【００１４】
この明細書に取り入れられ、且つこの明細書の一部を成す添付の図面は、この開示のいくつかの実施態様を例示しており、説明と共に、この開示の原理を解説する働きをする。
【００１５】
【図１】複数個のセクタを有するセルを例示する。
【図２】セルラ通信ネットワーク内でセルにサービスする基地局のためのデジタル変換可能無線機（ＤＣＲ）を例示する。
【図３】本開示の１つの実施形態による、セルラ通信ネットワーク内の基地局のためのハイブリッドユニット及び再構成可能な数の分散型デジタル変換可能無線ユニット（ＤＤＣＲＵ）を例示する。
【図４】本開示の１つの実施形態による、図３のＤＤＣＲＵの、より詳細な例示である。
【図５】本開示の１つの実施形態による、ＤＤＣＲＵのうちの１つのみがハイブリッドユニットへ接続されている、図３のハイブリッドユニットを例示する。
【図６】本開示の他の実施形態による、ＤＤＣＲＵの全て３つがハイブリッドユニットへ接続されている、図３のハイブリッドユニットを例示する。
【図７】本開示の他の実施形態による、セルラ通信ネットワーク内の基地局のためのハイブリッドユニット及び再構成可能な数のＤＤＣＲＵを例示する。
【図８】本開示の他の実施形態による、セルラ通信ネットワーク内の基地局のためのハイブリッドユニット及び再構成可能な数のＤＤＣＲＵを例示する。
【図９】本開示の他の実施形態による、セルラ通信ネットワーク内の基地局のためのハイブリッドユニット及び再構成可能な数のＤＤＣＲＵを例示する。
【発明を実施するための形態】
【００１６】
以下に明記される実施形態は、当業者による実施形態の実施を可能にするのに必要な情報を表現し、実施形態を実践するベストモードを例示する。当業者は、添付の図面に照らして以下の説明を読むと、この開示の概念を理解するであろうし、ここでは特段に扱われていない、これら概念の適用例を認めるであろう。これら概念及び適用例が、この開示及び添付の特許請求の範囲の範囲内に入ることを理解されるべきである。
【００１７】
セルラ通信ネットワーク内の基地局のための、構成可能な数の無線ユニットをサポートするハイブリッドユニットの実施形態が開示される。加えて、分散型デジタル変換可能無線機（ＤＤＣＲ）の実施形態も開示される。この点に関し、図３は、本開示の１つの実施形態による、再構成可能な数の無線ユニット４０−１〜４０−３へ接続されるハイブリッドユニット３８を含む基地局３６を例示している。無線ユニット４０−１〜４０−３は、ここではより総じて、集合的には無線ユニット（複数）４０と、個々には無線ユニット（単数）４０と称され得る。以下に詳細に論じるように、この実施形態において、無線ユニット４０は、ＤＤＣＲＵである。ハイブリッドユニット３８は、ここでは総じて、集合的にはフィーダケーブル（複数）４２と、個々にはフィーダケーブル（単数）４２と称されるフィーダケーブル４２−１〜４２−３を介して、少なくとも１つであって全部で３つまでの無線ユニット４０へ接続される。この実施形態では、ハイブリッドユニット３８が、少なくとも１つであって３つまでの無線ユニット４０へ接続されているが、ハイブリッドユニット３８は、どのような所望の数までの無線ユニット４０（例えば、４個、８個、１６個など）をもサポートするように設計されてよいことに留意されたい。この実施形態において、ハイブリッドユニット３８は、少なくとも無線ユニット４０−１へ接続されているが、無線ユニット４０−２及び４０−３を例示する破線により示されるように、所望される場合には、無線ユニット４０−２及び４０−３へ付加的に接続されてもよい。例えば、基地局３６の初期配備の時点において、事業者は、１つの無線ユニット（例えば、無線ユニット４０−１）のみをハイブリッドユニット３８へ接続し得る。キャパシティの増加が必要になるのに伴い、事業者は次いで、付加的な無線ユニット（例えば、無線ユニット４０−２及び４０−３）を接続して、付加的なキャパシティを獲得し得る。
【００１８】
ハイブリッドユニット３８は、無線ユニット４０の外部の別個のものである。ハイブリッドユニット３８は、アナログハイブリッドマトリクス（ＡＨＭ）４４を含み、当該ＡＨＭ４４は、この例において、３×３のＡＨＭである。加えて、この実施形態において、ハイブリッドユニット３８は、示されるように、互いに及びＡＨＭ４４へ接続される、マルチプレクサ４６−１〜４６−３（ここでは総じて、集合的にはマルチプレクサ（複数）４６と、個々にはマルチプレクサ（単数）４６と称される）、ミクサ４８−１〜４８−３（ここでは総じて、集合的にはミクサ（複数）４８と、個々にはミクサ（単数）４８と称される）、及び、カプラ５０−１〜５０−３（ここでは総じて、集合的にはカプラ（複数）５０と、個々にはカプラ（単数）５０と称される）を含む。この実施形態において、基地局３６は、３セクタのセルにサービスし、各セクタについて１つの、３つのアンテナ５２−１〜５２−３（ここでは総じて、集合的にはアンテナ（複数）５２と、個々にはアンテナ（単数）５２と称される）を含む。加えて、基地局３６は、示されるように、タワーマウント型増幅器ユニット（ＴＭＡ）５４−１〜５４−３（ここでは総じて、集合的にはＴＭＡ（複数）５４と、個々にはＴＭＡ（単数）５４と称される）を含む。
【００１９】
ＡＨＭ４４は、ＴＭＡ５４−１〜５４−３を介してアンテナ５２−１〜５２−３へそれぞれ接続される、３つのアンテナポート５６−１〜５６−３（ここでは総じて、集合的にはアンテナポート（複数）５６と、個々にはアンテナポート（単数）５６と称される）を含む。しかしながら、ＴＭＡ５４は任意選択であり、そのため、基地局３６のいくつかの実施形態又は実装例においては含まれていないことがあり得る旨に留意されたい。ＡＨＭ４４は、当該ＡＨＭ４４がフィーダケーブル４２−１〜４２−３を介して無線ユニット４０−１〜４０−３のうちの１つ以上へそれぞれ接続することを可能にする、３つのフィーダポート５８−１〜５８−３（ここでは総じて、集合的にはフィーダポート（複数）５８と、個々にはフィーダポート（単数）５８と称される）も含む。この例において、ＡＨＭ４４は、３つのアンテナポート５６及び３つのフィーダポート５８を有する３×３のＡＨＭであるが、ＡＨＭ４４がそれに限定されないことに留意されたい。ＡＨＭ４４は、より一般的には、Ｎ×ＮのＡＨＭであり、ここでＮは、ハイブリッドユニット３８がＮ個までのあらゆる数の送受信機を有する複数個の無線ユニット４０と、Ｎ個までのあらゆる数のアンテナ５２とをサポートすることが可能であるように、２以上である。
【００２０】
無線ユニット４０−１は、示されるように接続される、分散型デジタルハイブリッドマトリクス（ＤＤＨＭ）コンポーネント６０−１と、送受信機を共に形成する送信機６２−１及び受信機６４−１と、マルチプレクサ６６−１と、局部発振器６８とを含む。無線ユニット４０−１のフィーダポートは、マルチプレクサ６６−１の出力をフィーダケーブル４２−１へ接続する。無線ユニット４０−２は、示されるように接続される、ＤＤＨＭコンポーネント６０−２と、送信機６２−２と、受信機６４−２とを含む。無線ユニット４０−２のフィーダポートは、マルチプレクサ６６−２の出力をフィーダケーブル４２−２へ接続する。同様に、無線ユニット４０−３は、示されるように接続される、ＤＤＨＭコンポーネント６０−３と、送信機６２−３と、受信機６４−３とを含む。無線ユニット４０−３のフィーダポートは、マルチプレクサ６６−３の出力をフィーダケーブル４２−３へ接続する。注記すべきは、この実施形態における無線ユニット４０の各々が１つの送信機６２しか含んでいないものの、本開示はそれに限定されないという点である。無線ユニット４０の各々は、あらゆる数の、１つ以上の送信機６２を含んでよい。しかしながら、無線ユニット４０のうちのいずれかが複数個の送信機６２を含む場合、各送信機６２については、別個のフィーダケーブル４２と、従って、ＡＨＭ４４の別個のフィーダポート５８とが使用されることに留意されたい。無線ユニット４０のマルチプレクサ６６及びハイブリッドユニット３８のマルチプレクサ４６は、ハイブリッドユニット３８からの変換済み無線周波数受信信号と、送信機６２からの無線周波数変換済み送信信号と、局部発振器６８からのリファレンス局部発振器信号（ＬＯＲＥＦ）と、ハイブリッドユニット３８からのフィードバック信号（ＦＢＲＡ１〜ＦＢＲＡ３）とを、対応するフィーダケーブル４２上に多重化するように動作する。
【００２１】
複数の無線ユニット４０のＤＤＨＭコンポーネント６０は共に、ＤＤＨＭ７０を形成する。この特定の実施形態において、ＤＤＨＭ７０は、複数の無線ユニット４０をまたいで分散させた３×３のＤＨＭである。しかしながら、ＤＤＨＭ７０が、３×３のＤＤＨＭに限定されず、より一般的には、あらゆる数であるＮ個のデジタル送信信号と、あらゆる数のアンテナ５２とをサポートするためにＮ×ＮのＤＤＨＭであり得ることに留意されたい。一般に、ＤＤＨＭコンポーネント６０は、ＤＤＨＭ７０が実質的にＡＨＭ４４の逆であるように構成される。加えて、ＤＤＨＭコンポーネント６０は、好ましくは、ＤＤＨＭコンポーネント６０とＡＨＭ４４との間のあらゆるダウンストリームエラーを補償するように、さらに構成される。リファレンス局部発振器信号（ＬＯＲＥＦ）が、無線ユニット４０の適正な動作に必要とされる、無線ユニット４０間の位相ロックを可能にすることに留意されたい。
【００２２】
図４は、本開示の１つの実施形態による、無線ユニット４０、特に、ＤＤＨＭコンポーネント６０をより詳細に例示する。例示されるように、ＤＤＨＭコンポーネント６０−１は、デジタル送信信号Ｓ１〜Ｓ３に複素重みＷ１１、Ｗ２１、及びＷ３１をそれぞれ適用する複素重み付け関数７２１１、７２２１、及び７２３１を含む。最も一般的なケースにおいて、各重みは、周波数の関数として最適化された値の配列である。結果的に生じる、重み付けされたデジタル送信信号は、ｓｕｍ関数７４−１により合成され、それにより、変換済み送信信号Ｔ１を提供する。同様に、ＤＤＨＭコンポーネント６０−２は、デジタル送信信号Ｓ１〜Ｓ３に複素重みＷ１２、Ｗ２２、及びＷ３２をそれぞれ適用する複素重み付け関数７２１２、７２２２、及び７２３２を含む。結果的に生じる、重み付けされたデジタル送信信号は、ｓｕｍ関数７４−２により合成され、それにより、変換済み送信信号Ｔ２を提供する。同じ態様で、ＤＤＨＭコンポーネント６０−３は、デジタル送信信号Ｓ１〜Ｓ３に複素重みＷ１３、Ｗ２３、及びＷ３３をそれぞれ適用する複素重み付け関数７２１３、７２２３、及び７２３３を含む。結果的に生じる、重み付けされたデジタル送信信号は、ｓｕｍ関数７４−３により合成され、それにより、変換済み送信信号Ｔ３を提供する。
【００２３】
ＤＤＨＭコンポーネント６０−１の複素重みＷ１１、Ｗ２１、及びＷ３１と、ＤＤＨＭコンポーネント６０−２の複素重みＷ１２、Ｗ２２、及びＷ３２と、ＤＤＨＭコンポーネント６０−３の複素重みＷ１３、Ｗ２３、及びＷ３３とは、相関ユニット７８−１〜７８−３の出力に基づき、無線ユニット４０−１内のアダプタ７６により適応的に構成される。アダプタ７６が、代替的に、他の無線ユニット４０−２又は４０−３のうちの１つ内に位置してもよいことに留意されたい。同様に、無線ユニット４０−１〜４０−３のうちの１つ内の単一の相関ユニットが、相関ユニット７８−１〜７８−３に取って代わってもよい。１つの好適な実施形態において、アダプタ７６及び相関ユニット７８−１〜７８−３は、全体として参照によりここに取り入れられる米国特許第７，２４８，６５６号に記載されるアルゴリズムを使用して、複素重みＷ１１、Ｗ２１、Ｗ３１、Ｗ１２、Ｗ２２、Ｗ３２、Ｗ１３、Ｗ２３、及びＷ３３を構成するように動作する。複素重みＷ１１、Ｗ２１、Ｗ３１、Ｗ１２、Ｗ２２、Ｗ３２、Ｗ１３、Ｗ２３、及びＷ３３は、変換済み送信信号（Τ１〜Ｔ３）内で表されるデジタル送信信号Ｓ２及びＳ３の成分がＡＨＭ４４のアンテナポート５６−１において生成される無線周波数送信信号Ａ１において最小化され、変換済み送信信号（Τ１〜Ｔ３）内で表されるデジタル送信信号Ｓ１及びＳ３の成分がＡＨＭ４４のアンテナポート５６−２において生成される無線周波数送信信号Ａ２において最小化され、且つ、変換済み送信信号（Τ１〜Ｔ３）内で表されるデジタル送信信号Ｓ１及びＳ２の成分がＡＨＭ４４のアンテナポート５６−３において生成される無線周波数送信信号Ａ３において最小化されるように、アダプタ７６により構成される。このことは、無線ユニット４０のうちの１つ、２つ、それとも３つのいずれがハイブリッドユニット３８へ接続されているのか、又は、無線ユニット４０のうちのいずれかの送信機６２が故障しているかどうか、に関わらず当てはまる。
【００２４】
アダプタ７６が無線ユニット４０−２及び４０−３に複素重みＷ１２、Ｗ２２、Ｗ３２、Ｗ１３、Ｗ２３、及びＷ３３を渡す態様は、特定の実装例に依存して変動し得る。一般に、いずれかの適切な技法又はインタフェースが使用されてよい。例えば、アダプタ７６は、無線ユニット４０間のダイレクトインタフェースを使用して、複素重みを渡し得る。他の一例として、アダプタ７６は、デジタル送信信号（Ｓ１〜Ｓ３）の生成及び無線ユニット４０への送信も行うモデム８０（ベースバンドユニットとしても知られている）を介して、複素重みを渡し得る。
【００２５】
図５は、本開示の１つの実施形態による、この例においては無線ユニット４０−１である無線ユニット４０のうちの１つのみがハイブリッドユニット３８へ接続されている、図３の基地局３６を例示する。動作中に、基地局３６からのダウンリンクについて、ＤＤＨＭコンポーネント６０−１は、デジタル送信信号Ｓ１のみを受信し、変換済み送信信号Ｔ１を生成する。このケースにおいて、デジタル送信信号Ｓ２及びＳ３が存在しないため、変換済み送信信号Τ１は、デジタル送信信号Ｓ１の複素重み付けされたバージョンである。送信機６２−１は、変換済み送信信号Τ１をアップコンバートして増幅し、それにより、無線周波数変換済み送信信号Ｔ１，ＲＦを提供する。マルチプレクサ６６−１は、無線周波数変換済み送信信号Ｔ１，ＲＦを、変換済み無線周波数受信信号、リファレンス局部発振器信号（ＬＯＲＥＦ）、及びフィードバック信号ＦＢＲＡ３と共にフィーダケーブル４２−１上に多重化する。
【００２６】
ハイブリッドユニット３８において、無線周波数変換済み送信信号Ｔ１，ＲＦは、マルチプレクサ４６−１を介してフィーダポート５８−１に提供される。しかしながら、無線ユニット４０−２及び４０−３が接続されていないため、フィーダポート５８−２及び５８−３において入力は存在しない。フィーダポート５８−２及び５８−３において入力が存在しないため、ＡＨＭ４４は、無線周波数変換済み送信信号Ｔ１，ＲＦを分割し、それにより、アンテナポート５６−１〜５６−３の各々において無線周波数送信信号Ａ１〜Ａ３）を提供する、ように動作する。この実施形態において、無線周波数送信信号（Ａ１〜Ａ３）は、同じ無線周波数送信信号であるが、ＡＨＭ４４の所望の変換関数に従って異なる位相シフトを有する。
【００２７】
基地局３６へのアップリンクについて、無線周波数受信信号が、アンテナ５２−１〜５２−３において受信され、対応するＴＭＡ５４−１〜５４−３を経由してＡＨＭ４４のアンテナポート５６−１〜５６−３に渡される。この実施形態において、ＴＭＡ５４−１〜５４−３は、アンテナポート５６−１〜５６−３に提供される無線周波数受信信号の各々が、異なる搬送周波数において存在するように、無線周波数受信信号に異なる周波数シフトを適用するように構成される。例えば、ＴＭＡ５４−１は、アップリンクチャネルのアップリンク搬送周波数ｆの中央を基準として−Δｆの周波数シフトを適用することがあり得、Δｆはｆを基準として相対的に小さく、ＴＭＡ５４−２は、０の周波数シフトを適用することがあり得、ＴＭＡ５４−３は、アップリンク搬送周波数ｆの中央を基準としてΔｆの周波数シフトを適用することがあり得る。ＴＭＡ５４−１〜５４−３により適用される周波数シフトに関するさらなる詳細について、関心のある読者は、２００８年１１月２０日に公開され、ＴＭＡ５４と当該ＴＭＡ５４により適用される周波数シフトとに対するその教示について、ここで参照によりここに取り入れられる、METHOD  AND  APPARATUS  FOR  CONVERTING  BETWEEN  A  MULTI-SECTOR,  OMNI-BASE  STATION  CONFIGURATION  AND  A  MULTI-SECTOR  BASE  STATION  CONFIGURATIONと題された、米国特許出願公開第２００８／０２８７１６３号を参照されたい。
【００２８】
ＡＨＭ４４は、当該ＡＨＭ４４の所望の変換関数に従って、周波数シフトされた無線周波数受信信号を分割及び合成し、それにより、フィーダポート５８−１〜５８−３において変換済み無線周波数受信信号（Ｒ１，ＲＦ〜Ｒ３，ＲＦ）をそれぞれ提供する。注記すべきは、無線ユニット４０がフィーダポート５８へ接続されているかどうかに関係なく、ＡＨＭ４４が、フィーダポート５８−１〜５８−３において変換済み無線周波数受信信号（Ｒ１，ＲＦ〜Ｒ３，ＲＦ）を提供するという点である。その結果、無線ユニット４０が接続されるか、接続解除されるか、又は故障した場合に、ＡＨＭ４４は再構成される必要がない。
【００２９】
概して、変換済み無線周波数受信信号（Ｒ１，ＲＦ〜Ｒ３，ＲＦ）の各々は、周波数シフトされた無線周波数受信信号の各々についての成分を含む。より具体的には、１つの特定の実施形態において、ＡＨＭ４４は、以下のように定義された、アップリンク方向における伝達関数を有する：
【００３０】
【数１】
0006484264.tif 000002
【００３１】
ここでＲＡＮＴ１は、アンテナポート５６−１において受信された無線周波数受信信号であり、ＲＡＮＴ２は、アンテナポート５６−２において受信された無線周波数受信信号であり、ＲＡＮＴ３は、アンテナポート５６−３において受信された無線周波数受信信号である。そのため、変換済み無線周波数受信信号Ｒ１，ＲＦは、０度、１２０度、及び２４０度の位相においてそれぞれ、周波数シフトされた無線周波数受信信号の成分を有する。同様の態様で、変換済み無線周波数受信信号Ｒ２，ＲＦは、０度、０度、及び０度の位相においてそれぞれ、周波数シフトされた無線周波数受信信号の成分を有し、変換済み無線周波数受信信号Ｒ３，ＲＦは、０度、−１２０度、及び−２４０度の位相においてそれぞれ、周波数シフトされた無線周波数受信信号の成分を有する。当業者により認識されるように、ＡＨＭ４４の変換関数が、そのサイズに依存して変動することに留意されたい。例えば、４×４のＡＨＭは、上で提示された３×３のＡＨＭの変換関数とは異なる変換関数を有する。
【００３２】
マルチプレクサ４６−１は、変換済み無線周波数受信信号Ｒ１，ＲＦを、無線周波数変換済み送信信号Ｔ１，ＲＦ、リファレンス局部発振器信号（ＬＯＲＥＦ）、及びフィードバック信号ＦＢＲＡ３と共に、フィーダケーブル４２−１上に多重化する。無線ユニット４０−１において、マルチプレクサ６６−１は、変換済み無線周波数受信信号Ｒ１，ＲＦを受信機６４−１に提供し、当該受信機６４−１は、当該変換済み無線周波数受信信号Ｒ１，ＲＦをベースバンド又は所望の中間周波数へダウンコンバートし、それにより、受信信号Ｒ１を提供する。ＴＭＡ５４により適用される周波数シフトに起因して、受信信号Ｒ１内の無線周波数受信信号についての複数の成分は、アップリンク中央周波数を基準として異なる周波数に位置付けられる。そのため、無線機は、受信信号Ｒ１から無線周波数受信信号の各々のベースバンド表現を提供することが可能である。モデム８０（図４）が受信信号Ｒ１を処理して、無線周波数受信信号の各々の別個のベースバンド表現を獲得すること、が可能である旨に留意されたい。
【００３３】
図６は、本開示の他の実施形態による、無線ユニット４０の全て３つがハイブリッドユニット３８へ接続されている、図３の基地局３６を例示する。動作中に、基地局３６からのダウンリンクについて、ＤＤＨＭコンポーネント６０は、デジタル送信信号（Ｓ１〜Ｓ３）を受信し、ＤＤＨＭ７０の所望の変換関数に従って、デジタル送信信号（Ｓ１〜Ｓ３）を分割及び合成し、それにより、変換済み送信信号（Τ１〜Ｔ３）を生成する。変換済み送信信号（Τ１〜Ｔ３）の各々は、デジタル送信信号（Ｓ１〜Ｓ３）の各々についての成分を含む。より具体的には、上で論じたように、ＤＤＨＭコンポーネント６０−１は、複素重みＷ１１、Ｗ２１、及びＷ３１に従って、デジタル送信信号（Ｓ１〜Ｓ３）にそれぞれ重み付けし、結果的に生じる、複素重み付けされたデジタル送信信号を合成して、変換済み送信信号Ｔ１を提供する。同様に、ＤＤＨＭコンポーネント６０−２は、複素重みＷ１２、Ｗ２２、及びＷ３２に従って、デジタル送信信号（Ｓ１〜Ｓ３）にそれぞれ重み付けし、結果的に生じる、複素重み付けされたデジタル送信信号を合成して、変換済み送信信号Ｔ２を提供し、ＤＤＨＭコンポーネント６０−３は、複素重みＷ１３、Ｗ２３、及びＷ３３に従って、デジタル送信信号（Ｓ１〜Ｓ３）にそれぞれ重み付けし、結果的に生じる、複素重み付けされたデジタル送信信号を合成して、変換済み送信信号Ｔ３を提供する。
【００３４】
送信機６２−１〜６２−３は、変換済み送信信号（Τ１〜Ｔ３）をそれぞれアップコンバートして増幅し、それにより、無線周波数変換済み送信信号（Ｔ１，ＲＦ〜Ｔ３，ＲＦ）を提供する。マルチプレクサ６６−１は、無線周波数変換済み送信信号Ｔ１，ＲＦを、変換済み無線周波数受信信号Ｒ１，ＲＦ、リファレンス局部発振器信号（ＬＯＲＥＦ）、及びフィードバック信号ＦＢＲＡ３と共に、フィーダケーブル４２−１上に多重化する。同様に、マルチプレクサ６６−２は、無線周波数変換済み送信信号Ｔ２，ＲＦを、変換済み無線周波数受信信号Ｒ２，ＲＦ、リファレンス局部発振器信号（ＬＯＲＥＦ）、及びフィードバック信号ＦＢＲＡ２と共に、フィーダケーブル４２−２上に多重化し、マルチプレクサ６６−３は、無線周波数変換済み送信信号Ｔ３，ＲＦを、変換済み無線周波数受信信号Ｒ３，ＲＦ、リファレンス局部発振器信号（ＬＯＲＥＦ）、及びフィードバック信号ＦＢＲＡ１と共に、フィーダケーブル４２−３上に多重化する。
【００３５】
ハイブリッドユニット３８において、変換済み送信信号（Ｔ１〜Ｔ３）は、マルチプレクサ４６−１〜４６−３を介してフィーダポート５８−１〜５８−３にそれぞれ提供される。ＡＨＭ４４は、ダウンリンクについてのＡＨＭ４４の所望の変換関数に従って変換済み送信信号（Ｔ１〜Ｔ３）を分割及び合成し、それにより、アンテナポート５６−１〜５６−３においてそれぞれ、無線周波数送信信号（Ａ１〜Ａ３）を生成する。より具体的には、１つの特定の実施形態において、ＡＨＭ４４は、以下のように定義された、ダウンリンクについての伝達関数を有する：
【００３６】
【数２】
0006484264.tif 000003
【００３７】
ＤＤＨＭ７０は、無線周波数変換済み送信信号（Ｔ１，ＲＦ〜Ｔ３，ＲＦ）がＡＨＭ４４により分割及び合成される際に、当該無線周波数変換済み送信信号（Ｔ１，ＲＦ〜Ｔ３，ＲＦ）内で表されるデジタル送信信号Ｓ２及びＳ３の成分が、アンテナポート５６−１において生成される無線周波数送信信号Ａ１内で最小化されるか、又は可能性として除去され、当該無線周波数変換済み送信信号（Ｔ１，ＲＦ〜Ｔ３，ＲＦ）内で表されるデジタル送信信号Ｓ１及びＳ３の成分が、アンテナポート５６−２において生成される無線周波数送信信号Ａ２内で最小化されるか、又は可能性として除去され、且つ、当該無線周波数変換済み送信信号（Ｔ１，ＲＦ〜Ｔ３，ＲＦ）内で表されるデジタル送信信号Ｓ１及びＳ２の成分が、アンテナポート５６−３において生成される無線周波数送信信号Ａ３内で最小化されるか、又は可能性として除去される、ように構成される。この態様で、無線周波数送信信号Ａ１は、デジタル送信信号Ｓ１の無線周波数表現であり、無線周波数送信信号Ａ２は、デジタル送信信号Ｓ２の無線周波数表現であり、無線周波数送信信号Ａ３は、デジタル送信信号Ｓ３の無線周波数表現である。無線周波数送信信号（Ａ１〜Ａ３）は次いで、ＴＭＡ５４−１〜５４−３を介してアンテナ５２−１〜５２−３にそれぞれ出力される。しかしながら、ダウンリンクについては、ＴＭＡ５４−１〜５４−３が周波数シフトを適用しないことに留意されたい。むしろ、無線周波数送信信号（Ａ１〜Ａ３）は、対応するアンテナ５２−１〜５２−３に渡される。
【００３８】
基地局３６へのアップリンクについて、無線周波数受信信号は、アンテナ５２−１〜５２−３において受信され、対応するＴＭＡ５４−１〜５４−３を経由してアンテナポート５６−１〜５６−３にそれぞれ渡される。この実施形態において、ＴＭＡ５４−１〜５４−３は、以下のものに限定されないが、０度の周波数シフトといった、同じ周波数シフトを適用するように構成される。ＡＨＭ４４は、当該ＡＨＭ４４の所望の変換関数に従って、ＴＭＡ５４−１〜５４−３からの無線周波数受信信号をそれぞれ分割及び合成し、それにより、フィーダポート５８−１〜５８−３においてそれぞれ、変換済み無線周波数受信信号（Ｒ１，ＲＦ〜Ｒ３，ＲＦ）を提供する。上で論じたように、変換済み無線周波数受信信号（Ｒ１，ＲＦ〜Ｒ３，ＲＦ）の各々は、周波数シフトされた無線周波数受信信号の各々についての成分を含む。
【００３９】
マルチプレクサ４６−１は、変換済み無線周波数受信信号Ｒ１，ＲＦを、無線周波数変換済み送信信号Ｔ１，ＲＦ、リファレンス局部発振器信号（ＬＯＲＥＦ）、及びフィードバック信号ＦＢＲＡ３と共に、フィーダケーブル４２−１上に多重化する。無線ユニット４０−１において、マルチプレクサ６６−１は、変換済み無線周波数受信信号Ｒ１，ＲＦを受信機６４−１に提供し、当該受信機６４−１は、当該変換済み無線周波数受信信号Ｒ１，ＲＦをベースバンド又は所望の中間周波数へダウンコンバートし、それにより、受信信号Ｒ１を提供する。同様に、マルチプレクサ４６−２は、変換済み無線周波数受信信号Ｒ２，ＲＦを、無線周波数変換済み送信信号Ｔ２，ＲＦ、リファレンス局部発振器信号（ＬＯＲＥＦ）、及びフィードバック信号ＦＢＲＡ２と共に、フィーダケーブル４２−２上に多重化する。無線ユニット４０−２において、マルチプレクサ６６−２は、変換済み無線周波数受信信号Ｒ２，ＲＦを受信機６４−２に提供し、当該受信機６４−２は、変換済み無線周波数受信信号Ｒ２，ＲＦをベースバンド又は所望の中間周波数へダウンコンバートし、それにより、受信信号Ｒ２を提供する。最後に、マルチプレクサ４６−３は、変換済み無線周波数受信信号Ｒ３，ＲＦを、無線周波数変換済み送信信号Ｔ３，ＲＦ、リファレンス局部発振器信号（ＬＯＲＥＦ）、及びフィードバック信号ＦＢＲＡ１と共に、フィーダケーブル４２−３上に多重化する。無線ユニット４０−３において、マルチプレクサ６６−３は、変換済み無線周波数受信信号Ｒ３，ＲＦを受信機６４−３に提供し、当該受信機６４−３は、変換済み無線周波数受信信号Ｒ３，ＲＦをベースバンド又は所望の中間周波数へダウンコンバートし、それにより、受信信号Ｒ３を提供する。モデム８０（図４）は次いで、通常の復調処理の一部として、逆ＡＨＭ関数を実行して、受信機６４−１〜６４−３からのダウンコンバートされた変換済み無線周波数受信信号から、無線周波数受信信号のベースバンド表現を復元する。
【００４０】
図７は、図３の基地局３６と実質的に同じであるものの、無線周波数送信信号（Ａ１〜Ａ３）のどの１つについてのフィードバック信号（ＦＢＲ）も無線ユニット４０のいずれにも提供されることが可能である、基地局３６の一実施形態を例示する。より具体的には、この実施形態において、ハイブリッドユニット３８は、示されるように接続される、スイッチ８２、ミクサ８４、及びスプリッタ８６を含む。スイッチ８２は、無線周波数送信信号のうちの選択された１つ（Ａ１、Ａ２、又はＡ３）が、適切な局部発振器信号（図示せず）を使用した所望の周波数へのダウンコンバージョンのためにミクサ８４に提供され、次いで、マルチプレクサ４６−１〜４６−３を介して無線ユニット４０の全てに提供されるように、制御される。
【００４１】
図８は、図７の基地局３６と実質的に同じであるものの、スイッチ８２からのフィードバック信号（ＦＢＲ）が別個のフィーダケーブル８８を介して無線ユニット４０へ通信される基地局３６の一実施形態を例示する。この実施形態において、スプリッタ８６は、ハイブリッドユニット３８の一部ではなく、むしろ無線ユニット４０に関連付けられている。ＦＢＲは、スプリッタ８６により分割され、いずれかの適切な接続を介して無線ユニット４０に提供される。
【００４２】
図９は、図８の基地局３６と実質的に同じであるものの、リファレンス局部発振器信号（ＬＯＲＥＦ）が、フィーダケーブル４２−１〜４２−３上に多重化されるよりもむしろ、別個の接続を介して無線ユニット４０間で通信される基地局３６の一実施形態を例示する。
【００４３】
以下の頭字語は、この開示全体にわたって使用される。
・ＡＨＭ      Analog  Hybrid  Matrix
・ＢＴＳ      Base  Station  Transceiver  Set
・ＤＣＲ      Digitally  Convertible  Radio
・ＤＤＣＲ    Distributed  Digital  Convertible  Radio
・ＤＤＣＲＵ  Distributed  Digital  Convertible  Radio  Unit
・ＤＤＨＭ    Distributed  Digital  Hybrid  Matrix
・ＤＨＭ      Digital  Hybrid  Matrix
・ＴＭＡ      Tower  Mounted  Amplifier
【００４４】
当業者は、本開示の好適な実施形態に対する改善例及び修正例を認めるであろう。全てのこのような改善例及び修正例は、ここで開示される概念及び以下に続く特許請求の範囲の範囲内にあると考えられる。
【図１】
0006484264.tif 000004
【図２】
0006484264.tif 000005
【図３】
0006484264.tif 000006
【図４】
0006484264.tif 000007
【図５】
0006484264.tif 000008
【図６】
0006484264.tif 000009
【図７】
0006484264.tif 000010
【図８】
0006484264.tif 000011
【図９】
0006484264.tif 000012